(57)【要約】【課題】支柱を強固に支持することができる支柱ホルダーを提供する。【解決手段】設置面に取付けられるベース部１と、前記ベース部１から上方に向けて立設されて支柱２の下端部２１が固定される筒状部２２とを備え、前記ベース部１には、設置面に固定するアンカーボルト１５が挿通される挿通孔１２が間隔をあけて複数設けられ、前記ベース部１の周端部に切欠溝３８が設けられ、該切欠溝３８の一部が挿通孔１２間に達するように構成すれば、アンカーボルト１５で設置面にベース部１を固定する際、挿通孔１２付近のベース部１が設置される設置面に不陸等が生じていても、切欠溝１６により挿通孔１２付近の該ベース部１付近のみ変形して、他のベース部１付近は変形しにくいため設置面にしっかり固定することができる。【選択図】  図２
2015190280.tif 000002
【特許請求の範囲】
【請求項１】
設置面に取付けられるベース部と、前記ベース部から上方に向けて立設されて支柱の下端部が固定される筒状部とを備え、前記ベース部には、設置面に固定するアンカーボルトが上下に挿通される挿通孔が間隔をあけて複数設けられ、該ベース部の周端部に切欠溝が設けられるとともに、前記切欠溝の一部が挿通孔の間に達していることを特徴とする支柱ホルダー。
【発明の詳細な説明】
【技術分野】
【０００１】
本発明は、住宅、工場、公園等の敷地境界部や隣地境界部に沿って取付けられるフェンス、柵、塀等に関し、これらに用いられる支柱を設置面に固定するための支柱ホルダーに関するものである。
【背景技術】
【０００２】
住宅、工場、公園等の敷地境界部や隣地境界部に沿って取付けられるフェンスにおいて、その支柱を設置する場合は、コンクリート基礎を用いて支柱下端部を埋設するものや、打ち込み装置等を用いて支柱を土面に直接打設するものや、コンクリート面等の上に支柱ホルダーを設置し、その上に支柱を立設させるもの等が用いられている。
【０００３】
例えば、特許文献１には、基板上に対向する対向側壁と上方口狭にして下方拡開の支柱挿入空間を具備した支柱ホルダーと、該支柱ホルダーの上記一対の対向側壁及び支柱挿入空間内支柱下端間に配設した支柱傾斜角度調整自在の支柱固定手段とを備えた支柱立設装置が提案されている。
【先行技術文献】
【特許文献】
【０００４】
【特許文献１】特開平６−２００６６２号公報
【発明の概要】
【発明が解決しようとする課題】
【０００５】
ところで、前記のような支柱立設装置によると、設置面となるコンクリート躯体の表面に僅かに不陸が生じていたり、砂利等が存在したりしても、支柱傾斜角度調整自在の支柱固定手段によって支柱を立設できるものであるが、設置面に固定される基板の設置については、設置面との間に不必要な隙間等が生じたままとなるおそれがあった。
【０００６】
本発明は、前記の如き問題点を解消し、設置面上に僅かな不陸等や砂利等が存在していても、支柱ホルダーを可及的に安定に取付けられる支柱ホルダーを提供せんとするものである。
【課題を解決するための手段】
【０００７】
上記目的を達成するために、本発明は次のような構成としている。
すなわちこの発明に係る支柱ホルダーは、
設置面に取付けられるベース部と、前記ベース部から上方に向けて立設されて支柱の下端部が固定される筒状部とを備え、
前記ベース部には、設置面に固定するアンカーボルトが上下に挿通される挿通孔が間隔をあけて複数設けられ、
該ベース部の周端部に切欠溝が設けられるとともに、
前記切欠溝の一部が挿通孔の間に達していることを特徴とするものである。
【発明の効果】
【０００８】
本発明によれば、ベース部には、該ベース部の周端部に切欠溝が設けられるとともに、前記切欠溝の一部が挿通孔の間に達しているので、アンカーボルトで固定する際、一方の挿通孔付近に設置面上にや僅かな不陸等が存在して、僅かに変形して設置されたとしても、切欠溝を挟んだ他方の挿通孔付近には前記変形の影響を受けにくいので、他方の挿通孔付近においては、アンカーボルトを介して設置面に強固に固定することができる。
【図面の簡単な説明】
【０００９】
【図１】本発明に係る支柱ホルダーにおいて実施の一形態を示す正面図である。
【図２】図１の支柱ホルダー付近の拡大斜視図である。
【図３】図２の分解説明図である。
【図４】図２のＡ−Ａ断面図である。
【図５】本発明に係る支柱ホルダーにおいて他の実施形態を示す説明図である。
【発明を実施するための形態】
【００１０】
次に、本発明を実施するための最良の形態について図面を参照し、具体的に説明する。  
【００１１】
図１は、本発明に係る支柱ホルダーの実施の一形態を示す正面図、図２は図１の支柱ホルダー付近の説明図、図３は図２の分解説明図、図４は図２のＡ−Ａ断面図である。支柱ホルダーＰは、本形態では、設置面に固定されるベース部１と、ベース部１から上方に向けて立設されて支柱２の下端部２１が嵌合される筒状部３とを備えており、支柱ホルダーＰを介して設置面に支柱２が固定される。
【００１２】
ベース部１は、本形態では、厚さ方向を上下にして平面視矩形状に形成された板状となされており、その中央部に筒状部３が立設されている。そして、該ベース部１の中央部に設けられた上面から下面に通じる貫通部１１に筒状部３が挿入され、溶接によって接合されている。このように、本形態では別体であるベース部１と筒状部３とを接合して形成したものであるが、例えば、前記貫通部１１の周縁部に筒状部３を載置して溶接等で接合した形態でもよく、鋳鉄、アルミニウム合金等を用いてベース部と筒状部とを一体に成形したものを用いてもよい。
【００１３】
支柱２は、図１に示すように、フェンスパネル４を固定するものであって、本形態では、更に門扉パネル５の支持も兼用しているが、フェンスパネル４のみを固定する形態でもよい。該支柱２は、一般には強度的に安定しておりコストの安い角パイプ状の鋼管が用いられるが、支柱ホルダーＰで支持できる形態であれば断面多角形状でもよく、丸パイプ状の鋼管でもよい。またステンレス合金やアルミニウム合金等の他の金属を用いたものでもよい。
【００１４】
支柱２は、本形態では、支柱ホルダーＰの筒状部３に対して内挿されたものであるが、図示しないが、該筒状部３に対して外挿したものでもよく、筒状部３に支柱２を強固に固定できる形態であれば、特に限定されるものではない。
【００１５】
筒状部３は、本形態では、前壁部３１と後壁部３２とが前後に隙間３３が存して形成されたものであって、該前壁部３１と該後壁部３２との間に支柱２が挿入される。更に詳しく説明すると、前壁部３１は、前面壁３１ａと左右の側面壁３１ｂとを備えた断面コ字状であって後方に向けて開口され、また後壁部３２は、後壁面３２ａと左右の側面壁３２ｂとを備えた断面コ字状であって前方に向けて開口されている。そして、前壁部３１と後壁部３２とは、前記開口を相対向させ配置されると共に、左右の側面壁３１ｂ、３２ｂの相対向する先端間に隙間３３を存しており、前記前壁部３１と後壁部３２との間に支柱２の下端部２１が挿入されるようになされている。
【００１６】
筒状部３に対する支柱２の固定構造について図３を用いて説明する。筒状部３において、前面壁３１ａ及び後壁面３２ａには、その上方と下方とにそれぞれ前後方向に貫通する一対の貫通孔３１ｃ、３２ｃが相対向して設けられている。支柱ホルダーＰの上から支柱２の下端部２１を下向きに移動させて前壁部３１と後壁部３２との間に挿入した後、固定ボルト３４を、貫通孔３１ｃから挿入し、支柱の下端部２１に形成された貫通孔２２に通して、更に後壁部３２の貫通孔３２ｃに貫通させて、ワッシャ３５、スプリングワッシャ３６を介してナット３７に螺入する。そして固定ボルト３４にナット３７を締めつけて前面壁３１ａ及び後壁面３２ａ間に挿入された支柱２を挟み付けることによって、図２に示すように、支柱２を固定することができる。
【００１７】
前壁部３１及び後壁部３２の形状は、断面コ字形に限られるものではないが、支柱２を強固に支持できる形態が好ましい。例えば、支柱２が断面円形である場合は、その形状に合わせて、前壁部３１及び後壁部３２の形状をそれぞれ半円筒形状としてもよい。また前壁部３１及び後壁部３２は、鋼以外の他の金属を用いてもよく、鋳鉄、アルミニウム合金等を用いて、支柱ホルダーＰを一体に形成してもよい。
【００１８】
次に、支柱２に対するフェンスパネル４との関係について詳しく説明する。支柱ホルダーＰの前壁部３１には、横方向に切り欠かれた切欠部３８が形成され、支柱ホルダーＰに挿入された支柱２の下端部２１が切欠部３８から露出するようになされている。そしてフェンスパネル４の下端部は、この切欠部３８内に挿入され、固定部材３９によって支柱２の前面に取付けられている。
【００１９】
一般に、フェンスパネル４の横桟４１を支柱２に固定する場合、支柱に当接しうる横桟４１を前後の位置が合うように製造しておけば、切欠部３８を通じて横桟４１を支柱２に固定することによって、フェンスパネル４の上下方向に歪み等の不具合が生じないように固定できる。なお、切欠部３８を設けない場合は、図示しないが、固定部材３９を介して筒状部３の前面壁３１ａに横桟４１に固定してもよい。この場合は、前記横桟４１の前後位置を前面壁３１ａの厚さ分だけ前方に位置するようにしておけば、前記不具合が起こりにくく好ましい。
【００２０】
また前記側面壁３１ｂ及び側面壁３２ｂの中央部には、その外壁面に補強部６がそれぞれ設けられている。補強部６は、本形態では側面視において縦長矩形の平板からなるものであって、側面壁３１ｂ及び側面壁３２ｂに溶接されてその板厚分が突設されている。
【００２１】
次に設置面と支柱ホルダーＰとの関係を説明する。ベース部１の隅部には、上下に貫通する挿通孔１２が形成され、また図４に示すように、設置面下には予め雌ねじアンカー１３が設けられている。そして、ワッシャ１４を介して挿通孔１２にアンカーボルト１５を挿通させて雌ねじアンカー１３に締結させることにより、ベース部１が設置面上に固定される。本形態では、挿通孔１２はベース部１の四隅に一個ずつ設けられているが、ベース部１を設置面に強固に固定できればよく、挿通孔１２の形成数は特に限定されるものではない。また挿通孔１２は、本形態のように左右に横長の平面視小判型に形成することによって、雌ねじアンカー１３の僅かな配置ずれ等は、挿通孔１２によって吸収することができる。
【００２２】
アンカーボルト１５は、例えば、図示しないが、設置面に予め埋設した全ねじボルトを挿通孔１２に通して上方に挿通させてナット等の締結具で締結する形態でもよい。
【００２３】
ベース部１には、該ベース部１の周端部に上下方向にわたって切り欠かれた切欠溝１６が設けられている。切欠溝１６は、その一端がベース部１の周端に達しており、その他端が挿通孔１２間に達している。本形態では、切欠溝１６の先端側と筒状部３との間にベース部１が一部残されて切欠残部１７が形成されている。また、ベース部１の四隅に挿通孔１２が設けられているので、該切欠溝１６も各挿通孔１２の間に計四個形成されている。つまりベース部１は、切欠溝１６によって、それぞれに挿通孔１２が一個設けられた四個の分断部１８に分割されるとともに、前記分断部１８は、前記切欠残部１７によって互いに接続されている。
【００２４】
これにより、一個の分断部１８において、挿通孔１２にアンカーボルト１５を通して設置面に固定する際、その設置面に不陸が生じていたり、砂利等が存在していたりしても、該分断部１８においては、切欠残部１７を軸として、弾性変形、または塑性変形して僅かに傾いて設置面と隙間が生じた状態で固定される可能性があるが、他の分断部１８においては、前記分断部１８の弾性変形や塑性変形の影響を受けにくいので、設置面に強固に固定することができる。
【００２５】
更に、本形態では、ベース部１の中央部に貫通部１１が設けられており、これにより、一個の分断部１８に前記変形が生じても、他の分断部１８は前記変形の影響を更に受けにくくなる。
【００２６】
また、二個以上の分断部１８において、前記変形が生じうる場合であっても、残りの分断部１８は影響を受けにくいので、該分断部１８と設置面との状況に応じて、変形せずに、あるいは僅かに変形して設置面に固定することができるので、切欠溝１６を有さない場合と比較すると、ベース部１をより強固に設置面に固定することができる。
【００２７】
なお、分断部１８は、隣り合う挿通孔１２同士が、その間の切欠溝１６によって分断されている場合の挿通孔１２付近を少なくとも含むものである。すなわち、本形態においては、一個の挿通孔１２は隣り合う二個の挿通孔１２との間に、それぞれ切欠溝１６が設けられているが、隣り合う二個の挿通孔１２の内、一方の挿通孔１２との間のみに切欠溝１６が設けられている場合においても、当該挿通孔１２同士は切欠溝１６によって分断されており、これによって、一方の挿通孔１２付近が僅かに変形しても、切欠溝１６によって他方の挿通孔１２付近にはその変形の影響が小さい。したがって、ベース部１においては、少なくとも一個の切欠溝１６があれば、設置面に対してより強固に固定しうる。
【００２８】
切欠溝１６は、本形態では、平面視略矩形状に形成されたベース部１の周端面に対して略直交するように形成されているが、周端面から一方の挿通孔１２に近づき、他方の挿通孔１２から遠ざかるように設けられていてもよく、切欠溝１６の途中から分岐した形態としてもよい。
【００２９】
図５は、他の実施形態を示すものであって、支柱ホルダー付近の説明図である。
本形態では、図１−図４に示された支柱ホルダーＰと比べて、主にベース部１の形態が異なるものであり、既に説明した内容と同じ構成要素には同じ符号を付し、その説明は省略する。すなわち、本形態に係る支柱ホルダーＰは、ベース部１において、切欠溝１６が複数並設されたものであり、本形態では、三個の切欠溝１６が並設されている。そして、前記切欠溝１６によって、挿通孔１２を含む分断部１８と、挿通孔１２を含まずに２個の並設する切欠溝１６によって分断された分断片１９とが形成されている。また、図２に示された支柱ホルダーＰと同様に、切欠溝１６の先端と筒状部３との間にベース部１が一部残されて切欠残部１７が形成されており、該切欠残部１７を介して分断部１８と分断片１９とが接続されている。
【００３０】
これによって、ベース部１の挿通孔１２にアンカーボルト１５を通して設置面に固定する際、分断片１９が配置される設置面に不陸が生じていたり、砂利等が存在していたりしても、分断片１９が弾性変形や塑性変形により、分断片１９の下面と設置面との間に僅かに隙間が生じるおそれがあるが、分断部１８においては前記分断片１９の前記変形の影響を受けにくいので、該分断部１８はアンカーボルト１５を介して設置面に強固に固定することができる。
【００３１】
本形態では、二個一対の分断片１９が、ベース部１の挿通孔１２の間に計四個形成されているが、少なくとも一個の分断片１９が形成されていればよい。また分断片１９は二個一対に限定されるものでなく、挿通孔１２の間に切欠溝１６が二個併設されて一個の分断片１９が形成された形態でもよく、前記切欠溝１６が四個以上形成されて、三個以上の分断片１９が形成された形態でもよい。
【産業上の利用可能性】
【００３２】
本発明は、支柱ホルダーに支柱を強固に支持することができるので、支柱間に格子パネルや板状パネル等を取付けるフェンスの支柱や、そのフェンスで用いられる門扉の門柱のための支柱ホルダーとしてのみではなく、柵や車両止め等に用いられる支柱や支柱間にビーム材を架設した柵のための支柱ホルダーとしても好適に用いることができる。
【符号の説明】
【００３３】
１    ベース部
１１  貫通部
１２  挿通孔
１３  雌ねじアンカー
１４  ワッシャ
１５  アンカーボルト
１６  切欠溝
１７  切欠残部
１８  分断部
１９  分断片
２    支柱
２１  下端部
２２  貫通孔
３    筒状部
３１  前壁部
３１ａ  前面壁
３１ｂ  側面壁
３１ｃ  貫通孔
３２  後壁部
３２ａ  後壁面
３２ｂ  側面壁
３１ｃ  貫通孔
３３  隙間
３４  固定ボルト
３５  ワッシャ
３６  スプリングワッシャ
３７  ナット
３８  切欠部
３９  固定部材
４    フェンスパネル
４１  横桟
５    門扉パネル
６    補強部
Ｐ    支柱ホルダー
【図１】
2015190280.tif 000003
【図２】
2015190280.tif 000004
【図３】
2015190280.tif 000005
【図４】
2015190280.tif 000006
【図５】
2015190280.tif 000007